(57)【特許請求の範囲】
【請求項１】
エレベーターの乗場に設けられた乗場側ビーコン装置と、
前記エレベーターのかごへ出入りする物体を検出するセンサと、
携帯端末が前記乗場側ビーコン装置から電波を受信して呼び登録システムアプリケーションにおいて予め設定された前記エレベーターと乗車階と前記携帯端末とを特定するための第１信号を自動で送信した際に当該第１信号を受信し、当該第１信号に基づいて当該携帯端末に対応付けられた目的階を特定し、当該乗車階と当該目的階との情報を含む第２信号を当該エレベーターに向けて送信するサーバと、
前記サーバから第２信号を受信した際に、当該第２信号に基づいて当該乗車階に対応した乗場呼びを登録し、前記かごが当該乗車階に対応した乗場に到着して戸開した後に前記センサが物体を検出した場合は、当該目的階に対応したかご呼びを登録し、前記かごが当該乗車階に対応した乗場に到着して戸開した後に前記センサが物体を検出しない場合は、当該目的階に対応したかご呼びを登録しない制御装置と、
を備えたエレベーターの自動呼び登録システム。
【請求項２】
エレベーターの乗場に設けられた乗場側ビーコン装置と、
前記エレベーターのかごの床面にかかる荷重を検出する秤装置と、
携帯端末が前記乗場側ビーコン装置から電波を受信して呼び登録システムアプリケーションにおいて予め設定された前記エレベーターと乗車階と前記携帯端末とを特定するための第１信号を自動で送信した際に当該第１信号を受信し、当該第１信号に基づいて当該携帯端末に対応付けられた目的階を特定し、当該乗車階と当該目的階との情報を含む第２信号を当該エレベーターに向けて送信するサーバと、
前記サーバから第２信号を受信した際に、当該第２信号に基づいて当該乗車階に対応した乗場呼びを登録し、前記かごが当該乗車階に対応した乗場に到着して戸開した後に前記秤装置にかかる荷重が増加した場合に、当該目的階に対応したかご呼びを登録し、前記かごが当該乗車階に対応した乗場に到着して戸開した後に前記秤装置にかかる荷重が増加しない場合に、当該目的階に対応したかご呼びを登録しない制御装置と、
を備えたエレベーターの自動呼び登録システム。
【請求項３】
エレベーターの乗場に設けられた乗場側ビーコン装置と、
前記エレベーターのかごに設けられたかご側ビーコン装置と、
携帯端末が前記乗場側ビーコン装置から電波を受信して呼び登録システムアプリケーションにおいて予め設定された前記エレベーターと乗車階と前記携帯端末とを特定するための第１信号を自動で送信した際に当該第１信号を受信し、当該第１信号に基づいて当該携帯端末に対応付けられた目的階を特定し、当該乗車階と当該目的階との情報を含む第２信号を当該エレベーターに向けて送信するサーバと、
前記サーバから第２信号を受信した際に、前記携帯端末が前記かご側ビーコン装置からの電波を受信しなくなってから一定時間が経過していた場合に当該第２信号に基づいて当該乗車階および当該目的階に対応した呼びを登録し、前記携帯端末が前記かご側ビーコン装置からの電波を受信しなくなってから一定時間が経過していない場合に該第２信号に基づいて当該乗車階および当該目的階に対応した呼びを登録しない制御装置と、
を備えたエレベーターの自動呼び登録システム。
【請求項４】
エレベーターの乗場に設けられた乗場側ビーコン装置と、
前記エレベーターのかごの内部を撮影するカメラと、
携帯端末が前記乗場側ビーコン装置から電波を受信して呼び登録システムアプリケーションにおいて予め設定された前記エレベーターと乗車階と前記携帯端末とを特定するための第１信号を自動で送信した際に当該第１信号を受信し、当該第１信号に基づいて当該携帯端末に対応付けられた目的階を特定し、当該乗車階と当該目的階との情報を含む第２信号を当該エレベーターに向けて送信するサーバと、
前記サーバから第２信号を受信した際に、当該第２信号に基づいて当該乗車階に対応した乗場呼びを登録し、前記かごが当該乗車階に対応した乗場に到着して戸開した後に前記カメラの画像に基づいて利用者が検出された場合に、当該目的階に対応したかご呼びを登録し、前記かごが当該乗車階に対応した乗場に到着して戸開した後に前記カメラの画像に基づいて利用者が検出されない場合に、当該目的階に対応したかご呼びを登録しない制御装置と、
を備えたエレベーターの自動呼び登録システム。
【請求項５】
前記制御装置は、前記携帯端末が前記乗場側ビーコン装置から電波を受信した際の時刻が非利用時間帯である場合は呼びを登録しない請求項１から請求項４のいずれか一項に記載のエレベーターの自動呼び登録システム。
【請求項６】
前記制御装置は、前記携帯端末が前記乗場側ビーコン装置から電波を受信した際の時刻が過去に手動での呼びを要求した時刻に対応した時間帯である場合は呼びを登録する請求項１から請求項５のいずれか一項に記載のエレベーターの自動呼び登録システム。
【請求項７】
前記制御装置は、前記携帯端末が前記乗場側ビーコン装置から電波を受信して呼び登録システムアプリケーションにおいて予め設定された乗場呼びおよびかご呼びの要求を自動で送信した際に、当該乗場呼びに対応した乗場において前記かごが戸開している場合は、当該乗場呼びを登録しない請求項１から請求項６のいずれか一項に記載のエレベーターの自動呼び登録システム。
【発明の詳細な説明】
【技術分野】
【０００１】
この発明は、エレベーターの自動呼び登録システムに関する。
【背景技術】
【０００２】
特許文献１は、エレベーターの自動呼び登録システムを開示する。当該自動呼び登録システムによれば、エレベーターの呼びを自動で登録し得る。
【先行技術文献】
【特許文献】
【０００３】
【特許文献１】日本特開２０１８−９５４３９号公報
【発明の概要】
【発明が解決しようとする課題】
【０００４】
しかしながら、特許文献１に記載の自動呼び登録システムによれば、乗場側ビーコン装置に近づくと、エレベーターの呼びが登録される。このため、利用者が意図しない呼びが登録されることもある。【０００５】
この発明は、上述の課題を解決するためになされた。この発明の目的は、利用者が意図しない呼びの登録を抑制することができるエレベーターの自動呼び登録システムを提供することである。
【課題を解決するための手段】
【０００９】
この発明に係るエレベーターの自動呼び登録システムは、エレベーターの乗場に設けられた乗場側ビーコン装置と、前記エレベーターのかごへ出入りする物体を検出するセンサと、携帯端末が前記乗場側ビーコン装置から電波を受信して呼び登録システムアプリケーションにおいて予め設定された前記エレベーターと乗車階と前記携帯端末とを特定するための第１信号を自動で送信した際に当該第１信号を受信し、当該第１信号に基づいて当該携帯端末に対応付けられた目的階を特定し、当該乗車階と当該目的階との情報を含む第２信号を当該エレベーターに向けて送信するサーバと、前記サーバから第２信号を受信した際に、当該第２信号に基づいて当該乗車階に対応した乗場呼びを登録し、前記かごが当該乗車階に対応した乗場に到着して戸開した後に前記センサが物体を検出した場合は、当該目的階に対応したかご呼びを登録し、前記かごが当該乗車階に対応した乗場に到着して戸開した後に前記センサが物体を検出しない場合は、当該目的階に対応したかご呼びを登録しない制御装置と、を備えた。【００１０】
この発明に係るエレベーターの自動呼び登録システムは、エレベーターの乗場に設けられた乗場側ビーコン装置と、前記エレベーターのかごの床面にかかる荷重を検出する秤装置と、携帯端末が前記乗場側ビーコン装置から電波を受信して呼び登録システムアプリケーションにおいて予め設定された前記エレベーターと乗車階と前記携帯端末とを特定するための第１信号を自動で送信した際に当該第１信号を受信し、当該第１信号に基づいて当該携帯端末に対応付けられた目的階を特定し、当該乗車階と当該目的階との情報を含む第２信号を当該エレベーターに向けて送信するサーバと、前記サーバから第２信号を受信した際に、当該第２信号に基づいて当該乗車階に対応した乗場呼びを登録し、前記かごが当該乗車階に対応した乗場に到着して戸開した後に前記秤装置にかかる荷重が増加した場合に、当該目的階に対応したかご呼びを登録し、前記かごが当該乗車階に対応した乗場に到着して戸開した後に前記秤装置にかかる荷重が増加しない場合に、当該目的階に対応したかご呼びを登録しない制御装置と、を備えた。【００１１】
この発明に係るエレベーターの自動呼び登録システムは、エレベーターの乗場に設けられた乗場側ビーコン装置と、前記エレベーターのかごに設けられたかご側ビーコン装置と、携帯端末が前記乗場側ビーコン装置から電波を受信して呼び登録システムアプリケーションにおいて予め設定された前記エレベーターと乗車階と前記携帯端末とを特定するための第１信号を自動で送信した際に当該第１信号を受信し、当該第１信号に基づいて当該携帯端末に対応付けられた目的階を特定し、当該乗車階と当該目的階との情報を含む第２信号を当該エレベーターに向けて送信するサーバと、前記サーバから第２信号を受信した際に、前記携帯端末が前記かご側ビーコン装置からの電波を受信しなくなってから一定時間が経過していた場合に当該第２信号に基づいて当該乗車階および当該目的階に対応した呼びを登録し、前記携帯端末が前記かご側ビーコン装置からの電波を受信しなくなってから一定時間が経過していない場合に該第２信号に基づいて当該乗車階および当該目的階に対応した呼びを登録しない制御装置と、を備えた。【００１２】
この発明に係るエレベーターの自動呼び登録システムは、エレベーターの乗場に設けられた乗場側ビーコン装置と、前記エレベーターのかごの内部を撮影するカメラと、携帯端末が前記乗場側ビーコン装置から電波を受信して呼び登録システムアプリケーションにおいて予め設定された前記エレベーターと乗車階と前記携帯端末とを特定するための第１信号を自動で送信した際に当該第１信号を受信し、当該第１信号に基づいて当該携帯端末に対応付けられた目的階を特定し、当該乗車階と当該目的階との情報を含む第２信号を当該エレベーターに向けて送信するサーバと、前記サーバから第２信号を受信した際に、当該第２信号に基づいて当該乗車階に対応した乗場呼びを登録し、前記かごが当該乗車階に対応した乗場に到着して戸開した後に前記カメラの画像に基づいて利用者が検出された場合に、当該目的階に対応したかご呼びを登録し、前記かごが当該乗車階に対応した乗場に到着して戸開した後に前記カメラの画像に基づいて利用者が検出されない場合に、当該目的階に対応したかご呼びを登録しない制御装置と、を備えた。
【発明の効果】
【００１４】
これらの発明によれば、制御装置は、携帯端末が乗場側ビーコン装置から電波を受信した際に携帯端末を所持した利用者の位置に基づいて呼びを登録するか否かを判定する。このため、利用者が意図しない呼びの登録を抑制することができる。
【図面の簡単な説明】
【００１５】
【図１】実施の形態１におけるエレベーターの自動呼び登録システムが適用されるエレベーターの構成図である。
【図２】実施の形態１におけるエレベーターの自動呼び登録システムが適用される携帯端末にインストールされたアプリケーションの操作画面の正面図である。
【図３】実施の形態１におけるエレベーターの自動呼び登録システムが適用される携帯端末にインストールされたアプリケーションの操作画面の正面図である。
【図４】実施の形態１におけるエレベーターの自動呼び登録システムが適用される携帯端末にインストールされたアプリケーションの操作画面の正面図である。
【図５】実施の形態１におけるエレベーターの自動呼び登録システムが適用されるエレベーターの要部の構成図である。
【図６】実施の形態１におけるエレベーターの自動呼び登録システムが適用されるエレベーターの制御装置と携帯端末１５とのブロック図である。
【図７】実施の形態１におけるエレベーターの自動呼び登録システムに用いられるビーコン設置のテーブルを示す図である。
【図８】実施の形態１におけるエレベーターの自動呼び登録システムに用いられる呼びパターンのテーブルを示す図である。
【図９】実施の形態１におけるエレベーターの自動呼び登録システムが適用されるエレベーターの制御装置と携帯端末との動作の概要を説明するためのフローチャートである。
【図１０】実施の形態２におけるエレベーターの自動呼び登録システムが適用されるエレベーターの要部の構成図である。
【図１１】実施の形態２におけるエレベーターの自動呼び登録システムが適用されるエレベーターの制御装置と携帯端末とのブロック図である。
【図１２】実施の形態２におけるエレベーターの自動呼び登録システムが適用される携帯端末１５の動作の概要の第１例を説明するためのフローチャートである。
【図１３】実施の形態２におけるエレベーターの自動呼び登録システムが適用される携帯端末１５の動作の概要の第２例を説明するためのフローチャートである。
【図１４】実施の形態３におけるエレベーターの自動呼び登録システムが適用されるエレベーターの要部構成図である。
【図１５】実施の形態３におけるエレベーターの自動呼び登録システムが適用されるエレベーターの制御装置と携帯端末とのブロック図である。
【図１６】実施の形態３におけるエレベーターの自動呼び登録システムに用いられる非利用時間のテーブルを示す図である。
【図１７】実施の形態３におけるエレベーターの自動呼び登録システムが適用される携帯端末の動作の概要を説明するためのフローチャートである。
【図１８】実施の形態４におけるエレベーターの自動呼び登録システムが適用されるエレベーターの要部の構成図である。
【図１９】実施の形態４におけるエレベーターの自動呼び登録システムが適用されるエレベーターの制御装置と携帯端末とのブロック図である。
【図２０】実施の形態４におけるエレベーターの自動呼び登録システムに用いられる利用時間のテーブルを示す図である。
【図２１】実施の形態４におけるエレベーターの自動呼び登録システムが適用される携帯端末の動作の概要を説明するためのフローチャートである。
【図２２】実施の形態５におけるエレベーターの自動呼び登録システムが適用されるエレベーターの要部の構成図である。
【図２３】実施の形態５におけるエレベーターの自動呼び登録システムが適用されるエレベーターの制御装置と携帯端末とのブロック図である。
【図２４】実施の形態５におけるエレベーターの自動呼び登録システムが適用されるエレベーターの制御装置と携帯端末との動作の概要を説明するためのフローチャートである。
【図２５】実施の形態６におけるエレベーターの自動呼び登録システムが適用されるエレベーターの要部の構成図である。
【発明を実施するための形態】
【００１６】
この発明を実施するための形態について添付の図面に従って説明する。なお、各図中、同一または相当する部分には同一の符号が付される。当該部分の重複説明は適宜に簡略化ないし省略する。
【００１７】
実施の形態１．
図１は実施の形態１におけるエレベーターの自動呼び登録システムが適用されるエレベーターの構成図である。
【００１８】
図１のエレベーターにおいて、昇降路１は、図示されない建築物の各階を貫く。機械室２は、昇降路１の直上に設けられる。複数の乗場３の各々は、建築物の各階に設けられる。複数の乗場３の各々は、昇降路１に対向する。
【００１９】
巻上機４は、機械室２に設けられる。巻上機４は、図示されないブレーキ等を備える。主ロープ５は、巻上機４に巻き掛けられる。
【００２０】
かご６は、昇降路１の内部に設けられる。かご６は、主ロープ５の一側に支持される。釣合おもり７は、昇降路１の内部に設けられる。釣合おもり７は、主ロープ５の他側に支持される。
【００２１】
複数の乗場ドア８の各々は、複数の乗場３の各々の出入口に設けられる。かごドア９は、かご６の出入口に設けられる。かご６の出入口近傍には、かご６の出入口を介してかご６へ出入りする物体を検出し得るようにセンサ１０が設けられる。例えば、センサ１０は赤外線センサ、光電センサ、超音波センサ等である。例えば、センサ１０は、かごドア９に設けられる。例えば、センサ１０は、かご６の出入口柱に設けられてもよい。かご６には、かご６にかかる荷重を検知し得るように秤装置１１が設けられる。例えば、秤装置１１は、かご６の床面の直下に設けられる。例えば、秤装置１１は、主ロープ５とかご６との接続部に設けられてもよい。
【００２２】
複数の乗場側ビーコン装置１２の各々は、複数の乗場３の各々の壁面に設けられる。
【００２３】
制御装置１３は、機械室２に設けられる。制御装置１３は、エレベーターを全体的に制御し得るように設けられる。
【００２４】
基地局１４は、建築物とは離れた個所に設けられる。携帯端末１５は、利用者に所持される。例えば、携帯端末１５は、スマートフォンである。本システムでは、利用者は、携帯端末１５を利用してエレベーターの呼びを手動または自動で要求することができる。携帯端末１５を利用した呼び登録を行うためには、携帯端末１５に、特定の呼び登録システムアプリケーションが予めインストールされている必要がある。例えば、利用者は、エレベーターの管理を行う保守会社のホームページに携帯端末１５からアクセスすることにより、携帯端末１５に呼び登録システムアプリケーションをダウンロードおよびインストールを行うことができる。以下の説明では、呼び登録システムアプリケーションは、単に「アプリケーション」と表記される。
【００２５】
次に、図２から図４を用いて、アプリケーションの操作画面を説明する。
図２から図４は実施の形態１におけるエレベーターの自動呼び登録システムが適用される携帯端末にインストールされたアプリケーションの操作画面の正面図である。
【００２６】
図２はエレベーターが設けられた建築物としてのビルを登録する際の操作画面である。図２において、携帯端末１５が乗場側ビーコン装置１２から電波を受信すると、操作画面には、乗場側ビーコン装置１２に対応したビルの登録を促すダイアログまたは通知メッセージが表示される。この状態において、利用者が操作画面の「ＯＫ」の領域に触れると、乗場側ビーコン装置１２に対応したビルが登録される。
【００２７】
図３はエレベーターの呼びを手動で要求する際の操作画面である。図３において、登録済みのビルが選択されると、呼び登録画面が表示される。利用者は、携帯端末１５の呼び登録画面を操作することで、手動で呼びを要求することができる。例えば、利用者は、「現在階」として「１」を選択し、「行先階」として「４」を選択した後、「呼ぶ」の領域に触れることで、１階の乗場ＵＰ呼びと４階のかご呼びを要求することができる。その後、利用者は、「閉じる」の領域に触れることで、呼び登録画面を閉じることができる。
【００２８】
図４はエレベーターの呼びを自動で要求する際の操作画面である。図４において、歯車アイコンの領域が触れられると、設定画面が表示される。利用者は、携帯端末１５の設定画面を操作することで、自動で呼びを要求する設定とすることができる。例えば、利用者は、ハンズフリー設定スイッチをＯＮにすることで階床選択画面を表示させた後、二つの階として、「１」、「８」を選択し、「ＯＫ」の領域に触れることで、１階の乗場ＵＰ呼びと８階のかご呼び、もしくは８階の乗場ＤＯＷＮ呼びと１階のかご呼びとを自動で要求する設定とすることができる。この場合、１階において乗場側ビーコン装置１２に近づくと、１階の乗場ＵＰ呼びと８階のかご呼びとが自動で要求される。また、８階において乗場側ビーコン装置１２に近づくと、８階の乗場ＤＯＷＮ呼びと１階のかご呼びとが自動で要求される。
【００２９】
次に、図５を用いて、エレベーターの呼びの自動登録方法を説明する。
図５は実施の形態１におけるエレベーターの自動呼び登録システムが適用されるエレベーターの要部の構成図である。
【００３０】
図５に示されるように、乗場側ビーコン装置１２は、乗場３に向けて電波を送信する。携帯端末１５は、当該電波を受信した際にエレベーターの呼びを要求する情報を制御装置１３に向けて電波で送信する。当該情報は、基地局１４とインターネット網とを介して制御装置１３に受信される。
【００３１】
制御装置１３は、当該情報に基づいてエレベーターの呼びを登録する。例えば、制御装置１３は、当該情報に基づいて当該乗場３に対応した乗場呼びを登録する。例えば、制御装置１３は、当該情報に基づいて当該乗場３に対応した乗場呼びとかご呼びとを登録する。
【００３２】
次に、図６を用いて、制御装置１３と携帯端末１５とを説明する。
図６は実施の形態１におけるエレベーターの自動呼び登録システムが適用されるエレベーターの制御装置と携帯端末とのブロック図である。
【００３３】
図６に示されるように、制御装置１３は、外部通信部１３ａとセンサ通信部１３ｂと巻上機通信部１３ｃと呼び要求受信部１３ｄと出入り検出部１３ｅとかご呼び可否判定部１３ｆと運行管理部１３ｇと制御部１３ｈとを備える。
【００３４】
外部通信部１３ａは、インターネット網を介して外部の機器と通信し得るように設けられる。センサ通信部１３ｂは、センサ１０からの情報を受信し得るように設けられる。巻上機通信部１３ｃは、巻上機４に情報を送信し得るように設けられる。呼び要求受信部１３ｄは、外部通信部１３ａを介して呼びを要求する情報を受信し得るように設けられる。出入り検出部１３ｅは、センサ通信部１３ｂに受信された情報に基づいて利用者のかご６の出入りを検出し得るように設けられる。運行管理部１３ｇは、呼び要求受信部１３ｄから呼びを要求する情報を受け、制御部１３ｈに乗場呼びの登録要求とかご呼びの登録要求を送信し得るように設けられる。かご呼び可否判定部１３ｆは、呼び要求受信部１３ｄに受信されたかご呼びを要求する情報と出入り検出部１３ｅに検出された利用者のかご６の出入りとに基づいてかご呼びを登録するか否かを判定し判定結果を運行管理部１３ｇに送信し得るように設けられる。制御部１３ｈは、運行管理部１３ｇから送信された呼びの登録要求に基づいて呼び登録を行い巻上機４を制御し得るように設けられる。また、外部通信部１３ａ、呼び要求受信部１３ｄ、出入り検出部１３ｅ、かご呼び可否判定部１３ｆ、運行管理部１３ｇは、制御装置１３とは別に設けてもよい。例えば、エレベーターの運行状態を監視する監視装置に設けてもよい。
【００３５】
例えば、呼び要求受信部１３ｄと出入り検出部１３ｅとかご呼び可否判定部１３ｆと運行管理部１３ｇと制御部１３ｈとの機能は、プロセッサがメモリに記憶されたプログラムを読み出して実行することにより実現される。
【００３６】
携帯端末１５は、外部通信部１５ａとビーコン通信部１５ｂと呼びパターン記憶部１５ｃと呼び要求作成部１５ｄと呼び要求送信部１５ｅとを備える。
【００３７】
外部通信部１５ａは、図５においては図示されない基地局１４を介して外部の機器と通信し得るように設けられる。ビーコン通信部１５ｂは、乗場側ビーコン装置１２からの電波を受信し得るように設けられる。呼びパターン記憶部１５ｃは、乗場呼びパターンの情報とかご呼びパターンの情報とを記憶し得るように設けられる。呼び要求作成部１５ｄは、ビーコン通信部１５ｂに受信された電波の情報と呼びパターン記憶部１５ｃに記憶された情報とに基づいて呼びの情報を作成し得るように設けられる。呼び要求送信部１５ｅは、呼び要求作成部１５ｄに作成された呼びを要求する情報を外部通信部１５ａに送信させ得るように設けられる。
【００３８】
例えば、呼び要求作成部１５ｄと呼び要求送信部１５ｅとの機能は、プロセッサがメモリに記憶されたプログラムを読み出して実行することにより実現される。
【００３９】
次に、図７を用いて、ビーコン設置のテーブルを説明する。
図７は実施の形態１におけるエレベーターの自動呼び登録システムに用いられるビーコン設置のテーブルを示す図である。
【００４０】
図７に示されるように、ビーコン設置のテーブルにおいては、ビーコン情報と物件ＩＤとエレベーターＩＤとビーコン設置階の情報が対応付けられる。
【００４１】
ビーコン情報は、乗場側ビーコン装置１２の識別情報である。例えば、ビーコンがｉＢｅａｃｏｎ（登録商標）であれば、ＵＵＩＤ、Ｍａｊｏｒ、Ｍｉｎｏｒと呼ぶデータ列の組で識別子を構成する。物件ＩＤは、エレベーターが設けられた建築物の識別情報である。エレベーターＩＤは、エレベーターを識別し得る情報である。設置階は、当該ビーコンを設置する階の識別情報である。
【００４２】
次に、図８を用いて、呼びパターンのテーブルを説明する。
図８は実施の形態１におけるエレベーターの自動呼び登録システムに用いられる呼びパターンのテーブルを示す図である。
【００４３】
図８に示されるように、呼びパターンのテーブルにおいては、ビーコン情報と物件ＩＤとエレベーターＩＤと階１と階２との情報が対応付けられる。
【００４４】
ビーコン情報は、乗場側ビーコン装置１２の識別情報である。物件ＩＤは、エレベーターが設けられた建築物の識別情報である。エレベーターＩＤは、エレベーターを識別し得る情報である。階１は、利用者がかご６に乗る階もしくはかご６から降りる階の識別情報である。階２は、利用者がかご６から降りる階もしくはかご６に乗る階の識別情報である。
【００４５】
次に、図９を用いて、制御装置１３と携帯端末１５との動作の概要を説明する。
図９は実施の形態１におけるエレベーターの自動呼び登録システムが適用されるエレベーターの制御装置と携帯端末との動作の概要を説明するためのフローチャートである。
【００４６】
ステップＳ１では、携帯端末１５は、乗場側ビーコン装置１２からの電波を受信した際にアプリケーションを起動する。その後、携帯端末１５は、ステップＳ２の動作を行う。ステップＳ２では、携帯端末１５は、乗場呼びおよびかご呼びを要求する情報を送信する。ビーコンの識別子を受信した携帯端末１５の呼び要求作成部１５ｄは、ビーコン設置のテーブルによって、ビーコン情報に対応する物件ＩＤ、エレベーターＩＤ、設置階を得る。次に、呼びパターンのテーブルにより、ビーコン識別子から得た物件ＩＤとエレベーターＩＤと一致し、さらに設置階が階１もしくは階２に一致する階１および階２を得る。階１と階２とが得られた場合、階１と階２のうち設置階と一致する階が乗場呼び階と決定され、もう一つの階がかご呼び階と決定される。最後に、乗場呼び階とかご呼び階とが比較され、乗場呼びの方向（ＵＰもしくはＤＯＷＮ）が決定される。
【００４７】
その後、制御装置１３は、ステップＳ３の動作を行う。ステップＳ３では、制御装置１３は、携帯端末１５からの情報に基づいて乗場呼びを登録する。その後、制御装置１３は、ステップＳ４の動作を行う。ステップＳ４では、制御装置１３は、乗場呼びに対応した乗場３にかご６を到着させた後に戸開させる。
【００４８】
その後、制御装置１３は、ステップＳ５の動作を行う。ステップＳ５では、制御装置１３は、かご６の戸閉までに利用者の出入りを検出したか否かを判定する。
【００４９】
ステップＳ５で利用者の出入りが検出されない場合、制御装置１３は、動作を終了する。
【００５０】
ステップＳ５で利用者の出入りが検出された場合、制御装置１３は、ステップＳ６の動作を行う。ステップＳ６では、制御装置１３は、携帯端末１５からの情報に基づいてかご呼びを登録する。その後、制御装置１３は、動作を終了する。
【００５１】
以上で説明した実施の形態１によれば、制御装置１３は、携帯端末１５が乗場側ビーコン装置１２から電波を受信した際に携帯端末１５を所持した利用者の位置に基づいて呼びを登録するか否かを判定する。このため、利用者が意図しない呼びの登録を抑制することができる。その結果、エレベーターの運行効率の低下を抑制することができる。
【００５２】
具体的には、乗場呼びの登録の後、利用者の出入りが検出されなければ、かご呼びは登録されない。このため、かご６が当該かご呼びに対応した目的階に無用に移動することを抑制できる。
【００５３】
なお、秤装置１１の検出結果に基づいて利用者の出入りを検出してもよい。この際、秤装置１１にかかる荷重が増加しない場合にかご呼びを登録しない設定とすれば、無用なかご呼びが登録されることをより確実に抑制することができる。
【００５４】
また、かご６の内部を撮影するカメラの画像に基づいて利用者の出入りを検出してもよい。この際、カメラの画像に基づいて利用者がかご６の内部に乗り込んだことが検出されない場合にかご呼びを登録しない設定とすれば、無用なかご呼びが登録されることをより確実に抑制することができる。
【００５５】
また、携帯端末１５が乗場側ビーコン装置１２から電波を受信した際に、アプリケーションが起動しており、表示部においてアプリケーションの操作画面を操作できる状態である場合に、アプリケーションにおいて予め設定された呼びの要求を自動で送信しなくてもよい。この場合、利用者が手動で呼びを要求したり目的階を変更したりする可能性がある場合に呼びの要求が無用になされることを抑制できる。
【００５６】
また、携帯端末１５が乗場側ビーコン装置１２から電波を受信した際に、アプリケーションが起動しており、表示部においてアプリケーションの操作画面を操作できない状態にある場合に、アプリケーションにおいて予め設定された呼びの要求を自動で送信してもよい。例えば、アプリケーションが起動しており、携帯端末１５の画面がロックされている場合に、アプリケーションにおいて予め設定された呼びの要求を自動で送信してもよい。例えば、アプリケーションが起動しており、アプリケーションの画面が表示されていない場合に、アプリケーションにおいて予め設定された呼びの要求を自動で送信してもよい。これらの場合、利用者が手動で呼びを要求したり目的階を変更したりする可能性がない場合に、即座に呼びを要求することができる。
【００５７】
また、アプリケーションの画面において、戸開ボタンと戸閉ボタンとを表示してもよい。例えば、戸開ボタンの領域が触れられた際に、携帯端末１５から基地局１４とインターネット網とを介してエレベーターの戸開の要求を制御装置１３に送信してもよい。例えば、戸閉ボタンの領域が触れられた際に、携帯端末１５から基地局１４とインターネット網とを介してエレベーターの戸閉の要求を制御装置１３に送信してもよい。これらの場合、乗場３から少し離れた位置においても、エレベーターの戸開閉時間を調整することができる。なお、本実施の形態１において、携帯端末１５がエレベーターの呼びを要求する情報を制御装置１３に向けて電波で送信する際に、基地局１４とインターネット網とを介して制御装置１３に送信する構成とした。例えば、乗場３に制御装置１３に接続された無線ＬＡＮを構築するアクセスポイントを設置し、携帯端末１５がエレベーターの呼びを要求する情報を制御装置１３に向けて電波で送信する際に、アクセスポイントを介して制御装置１３に送信するようにしてもよい。また、例えば、乗場側ビーコン装置１２がアクセスボイント機能を備えることで、携帯端末１５がエレベーターの呼びを要求する情報を制御装置１３に向けて電波で送信する際に、乗場側ビーコン装置１２を介して制御装置１３に送信するようにしてもよい。
【００５８】
実施の形態２．
図１０は実施の形態２におけるエレベーターの自動呼び登録システムが適用されるエレベーターの要部の構成図である。図１１は実施の形態２におけるエレベーターの自動呼び登録システムが適用されるエレベーターの制御装置と携帯端末とのブロック図である。なお、実施の形態１の部分と同一又は相当部分には同一符号が付される。当該部分の説明は省略される。
【００５９】
図１０に示されるように、かご側ビーコン装置１６は、かご６の内部に設けられる。かご側ビーコン装置１６はかご上に設置してもよい。かご側ビーコンは、かご６の内部に向けて電波を送信する。図１１に示されるように、携帯端末１５において、ビーコン通信部１５ｂは、乗場側ビーコン装置１２およびかご側ビーコン装置１６からの電波を受信し得るように設けられる。乗降判定部１５ｆは、ビーコン通信部１５ｂからの情報に基づいて利用者のかご６の乗降を検出し得るように設けられる。
【００６０】
次に、図１２を用いて、携帯端末１５の動作の概要の第１例を説明する。
図１２は実施の形態２におけるエレベーターの自動呼び登録システムが適用される携帯端末の動作の概要の第１例を説明するためのフローチャートである。
【００６１】
ステップＳ１１では、携帯端末１５は、乗場側ビーコン装置１２またはかご側ビーコン装置１６から電波を受信した際にアプリケーションを起動する。その後、携帯端末１５は、ステップＳ１２の動作を行う。ステップＳ１２では、携帯端末１５は、当該電波を発信したビーコン装置が乗場側ビーコン装置１２であるか否かを判定する。
【００６２】
ステップＳ１２で当該電波を発信したビーコン装置が乗場側ビーコン装置１２である場合、携帯端末１５は、ステップＳ１３の動作を行う。ステップＳ１３では、携帯端末１５は、乗場呼びおよびかご呼びを要求する情報を送信する。その後、携帯端末１５は、ステップＳ１４の動作を行う。ステップＳ１４では、携帯端末１５は、一定時間の間に新たに電波を受信しても呼びの登録を要求する情報を送信しない。その後、携帯端末１５は、ステップＳ１５の動作を行う。ステップＳ１５では、携帯端末１５は、一定時間が経過した際にアプリケーションを終了する。その後、携帯端末１５は、動作を終了する。
【００６３】
ステップＳ１２で当該電波を発信したビーコン装置が乗場側ビーコン装置１２でない場合、携帯端末１５は、ステップＳ１６の動作を行う。ステップＳ１６では、携帯端末１５は、かご側ビーコン装置１６からの電波を検出するか否かを判定する。
【００６４】
ステップＳ１６でかご側ビーコン装置１６からの電波が検出される場合、携帯端末１５は、ステップＳ１６の動作を行う。ステップＳ１６でかご側ビーコン装置１６からの電波が検出されない場合、携帯端末１５は、ステップＳ１４の動作を行う。ビーコン装置の電波検出においては、受信した電波の強度に対する検出閾値を設け、この閾値を超えるか否かで検出、非検出が判定される。この閾値は、乗場側ビーコン装置１２とかご側ビーコン装置１６で同じ値でもよいし、異なる値を用いることもできる。この閾値を変更することで、建物やエレベーターの異なる構造に応じて最適な乗降判定を行うことができる。
【００６５】
次に、図１３を用いて、携帯端末１５の動作の概要の第２例を説明する。
図１３は実施の形態２におけるエレベーターの自動呼び登録システムが適用される携帯端末の動作の概要の第２例を説明するためのフローチャートである。
【００６６】
ステップＳ２１からステップＳ２５は、図１２のステップＳ１１からステップＳ１５と同じである。ステップＳ２２で当該電波を発信したビーコン装置が乗場側ビーコン装置１２でない場合、携帯端末１５は、ステップＳ２４の動作を行う。
【００６７】
以上で説明した実施の形態２によれば、制御装置１３は、携帯端末１５が乗場側ビーコン装置１２から電波を受信して呼びを要求した際に、携帯端末１５がかご側ビーコン装置１６からの電波を受信しなくなってから一定時間が経過していない場合に呼びを登録しない。このため、利用者が意図しない呼びの登録を抑制することができる。
【００６８】
具体的には、携帯端末１５は、かご側ビーコン装置１６からの電波を受信した場合に一定期間、呼びの要求の自動送信を抑止する。このため、かご６の走行中に呼びが登録されることを抑制できる。実施の形態２では、ステップＳ２２で乗場側ビーコン装置１２を検出していない場合、この時検出したビーコン装置の電波はかご側ビーコン装置１６の電波であり、携帯端末１５はステップＳ２４の動作を行うこととしているが、かご側ビーコン装置１６の電波を検出してから一定期間乗場側ビーコン装置１２の電波の検出がないことを確認してからステップＳ２４の動作を行うようにしてもよい。一定期間内に乗場側ビーコン装置１２の電波を検出した場合、ステップＳ２３の動作を行うようにしてもよい。このような動作とすることで、かご６が乗車階に止まっているなど、携帯端末１５で受信したかご側ビーコン装置１６の電波と乗場側ビーコン装置１２の電波との強度に差がない場合に、乗場側ビーコン装置１２よりも先にかご側ビーコン装置１６が検出されていても、最適な乗降判定を行うことができる。
【００６９】
実施の形態３．
図１４は実施の形態３におけるエレベーターの自動呼び登録システムが適用されるエレベーターの要部構成図である。図１５は実施の形態３におけるエレベーターの自動呼び登録システムが適用されるエレベーターの制御装置と携帯端末とのブロック図である。なお、実施の形態１の部分と同一又は相当部分には同一符号が付される。当該部分の説明は省略される。
【００７０】
図１４と図１５とに示されるように、携帯端末１５は、加速度検出部１５ｇと利用判定部１５ｈと非利用時間記憶部１５ｉと非利用時間判定部１５ｊとを備える。
【００７１】
加速度検出部１５ｇは、携帯端末１５の加速度を検出し得るように設けられる。利用判定部１５ｈは、加速度検出部１５ｇの検出結果に基づいて利用者がかご６を利用しているか否かを判定し得るように設けられる。例えば、利用判定部１５ｈは、加速度検出部１５ｇがかご６の走行に伴う加速度変化を検出したときに利用者がかご６を利用していると判定する。非利用時間記憶部１５ｉは、非利用時間帯の情報を記憶し得るように設けられる。非利用時間判定部１５ｊは、非利用時間記憶部１５ｉに記憶された情報に基づいて現時刻が非利用時間帯であるか否かを判定し得るように設けられる。
【００７２】
次に、図１６を用いて、非利用時間のテーブルを説明する。
図１６は実施の形態３におけるエレベーターの自動呼び登録システムに用いられる非利用時間のテーブルを示す図である。
【００７３】
図１６に示されるように、非利用時間のテーブルにおいては、ビーコン情報と物件ＩＤとエレベーターＩＤと乗車階と移動方向と非利用時間の情報が対応付けられる。
【００７４】
ビーコン情報は、乗場側ビーコン装置１２の識別情報である。物件ＩＤは、エレベーターが設けられた建築物の識別情報である。エレベーターＩＤは、エレベーターを識別し得る情報である。乗車階は、利用者がかご６に乗る階の識別情報である。移動方向は、かご６の移動方向の識別情報である。非利用時間は、かご６を利用しない時間帯の識別情報である。
【００７５】
次に、図１７を用いて、携帯端末１５の動作の概要を説明する。
図１７は実施の形態３におけるエレベーターの自動呼び登録システムが適用される携帯端末の動作の概要を説明するためのフローチャートである。
【００７６】
ステップＳ３１では、携帯端末１５は、乗場側ビーコン装置１２からの電波を受信した際にアプリケーションを起動する。その後、携帯端末１５は、ステップＳ３２の動作を行う。ステップＳ３２では、携帯端末１５は、現時刻が非利用時間帯であるか否かを判定する。
【００７７】
ステップＳ３２では、現時刻が非利用時間帯である場合、携帯端末１５は、動作が終了する。
【００７８】
ステップＳ３２では、現時刻が非利用時間帯でない場合、携帯端末１５は、ステップＳ３３の動作を行う。ステップＳ３３では、携帯端末１５は、乗場呼びおよびかご呼びを要求する情報を送信する。
【００７９】
その後、携帯端末１５は、ステップＳ３４の動作を行う。ステップＳ３４では、携帯端末１５は、利用者がかご６を利用しているか否かを判定する。
【００８０】
ステップＳ３４で利用者がかご６を利用している場合、携帯端末１５は、動作を終了する。
【００８１】
ステップＳ３４で利用者がかご６を利用していない場合、携帯端末１５は、ステップＳ３５の動作を行う。ステップＳ３５では、携帯端末１５は、現時刻に対応した時間帯を非利用時間帯に指定する。その後、携帯端末１５は、動作を終了する。
【００８２】
以上で説明した実施の形態３によれば、制御装置１３は、携帯端末１５が乗場側ビーコン装置１２から電波を受信した際の時刻が非利用時間帯である場合は呼びの要求を受けない。このため、制御装置１３は、呼びを登録しない。その結果、利用者が意図しない呼びの登録を抑制することができる。
【００８３】
なお、センサ１０の検出結果、秤装置１１の検出結果、かご側ビーコン装置１６の受信状況等に基づいて、利用者がかご６を利用しているか否かの判定を行ってもよい。
【００８４】
また、利用者がかご６を利用してなかった通算回数、呼びを登録した回数に対する利用者がかご６を利用してなかった回数の割合等に基づいて、呼びを登録しない条件を設定してもよい。
【００８５】
実施の形態４．
図１８は実施の形態４におけるエレベーターの自動呼び登録システムが適用されるエレベーターの要部の構成図である。図１９は実施の形態４におけるエレベーターの自動呼び登録システムが適用されるエレベーターの制御装置と携帯端末とのブロック図である。なお、実施の形態１の部分と同一又は相当部分には同一符号が付される。当該部分の説明は省略される。
【００８６】
図１８と図１９とに示されるように、携帯端末１５は、操作部１５ｋと利用履歴記憶部１５ｌと利用時間記憶部１５ｍと利用時間判定部１５ｎとを備える。
【００８７】
操作部１５ｋは、外部からの操作を受け付け得るように設けられる。利用履歴記憶部１５ｌは、操作部１５ｋに対する手動操作に基づいた呼びの要求履歴の情報を記憶し得るように設けられる。利用時間記憶部１５ｍは、利用時間帯の情報を記憶し得るように設けられる。利用時間判定部１５ｎは、利用時間記憶部１５ｍに記憶された情報に基づいて現時刻が利用時間帯であるか否かを判定し得るように設けられる。
【００８８】
次に、図２０を用いて、利用時間のテーブルを説明する。
図２０は実施の形態４におけるエレベーターの自動呼び登録システムに用いられる利用時間のテーブルを示す図である。
【００８９】
図２０に示されるように、利用時間のテーブルにおいては、ビーコン情報と物件ＩＤとエレベーターＩＤと乗車階と移動方向と利用時間の情報が対応付けられる。
【００９０】
ビーコン情報は、乗場側ビーコン装置１２の識別情報である。物件ＩＤは、エレベーターが設けられた建築物の識別情報である。エレベーターＩＤは、エレベーターを識別し得る情報である。乗車階は、利用者がかご６に乗る階の識別情報である。移動方向は、かご６の移動方向の識別情報である。利用時間は、かご６を利用する時間帯の識別情報である。
【００９１】
次に、図２１を用いて、携帯端末１５の動作の概要を説明する。
図２１は実施の形態４におけるエレベーターの自動呼び登録システムが適用される携帯端末の動作の概要を説明するためのフローチャートである。
【００９２】
ステップＳ４１では、携帯端末１５は、乗場側ビーコン装置１２からの電波を受信した際にアプリケーションを起動する。その後、携帯端末１５は、ステップＳ４２の動作を行う。ステップＳ４２では、携帯端末１５は、現時刻が利用時間帯であるか否かを判定する。
【００９３】
ステップＳ４２で現時刻が利用時間帯である場合、携帯端末１５は、ステップＳ４３の動作を行う。ステップＳ４３では、携帯端末１５は、乗場呼びおよびかご呼びを要求する情報を送信する。その後、携帯端末１５は、動作を終了する。
【００９４】
ステップＳ４２で現時刻が利用時間帯でない場合、携帯端末１５は、ステップＳ４４の動作を行う。ステップＳ４４では、携帯端末１５は、手動で呼びが要求されたか否かを判定する。
【００９５】
ステップＳ４４で手動で呼びが要求されない場合、携帯端末１５は、動作を終了する。
【００９６】
ステップＳ４４で手動で呼びが要求された場合、携帯端末１５は、ステップＳ４５の動作を行う。ステップＳ４５では、携帯端末１５は、現時刻に対応した時間帯を利用時間帯に指定する。その後、携帯端末１５は、ステップＳ４３の動作を行う。
【００９７】
以上で説明した実施の形態４によれば、制御装置１３は、携帯端末１５が乗場側ビーコン装置１２から電波を受信した際の時刻が過去に手動で呼びを要求した時刻に対応した時間帯である場合は呼びの要求を受ける。このため、制御装置１３は、呼びを登録する。その結果、実施の形態３において非利用時間帯となっている時刻でも手動で利用時間帯に再指定することができる。
【００９８】
なお、手動での呼びの要求の通算回数等に基づいて、呼びを登録する条件を設定してもよい。
【００９９】
実施の形態５．
図２２は実施の形態５におけるエレベーターの自動呼び登録システムが適用されるエレベーターの要部の構成図である。図２３は実施の形態５におけるエレベーターの自動呼び登録システムが適用されるエレベーターの制御装置と携帯端末とのブロック図である。なお、実施の形態１の部分と同一又は相当部分には同一符号が付される。当該部分の説明は省略される。
【０１００】
図２２に示されるように、ドアセンサ１７は、かごドア９の上方に設けられる。ドアセンサ１７は、かごドア９の開閉状態を検出し得るように設けられる。図２３に示されるように、制御装置１３は、現在階取得部１３ｉと戸開閉判定部１３ｊとを備える。現在階取得部１３ｉは、かご６が存在する階の情報を取得し得るように設けられる。戸開閉判定部１３ｊは、ドアセンサ１７の検出結果に基づいてかごドア９の開閉状態を判定し得るように設けられる。
【０１０１】
次に、図２４を用いて、制御装置１３と携帯端末１５との動作の概要を説明する。
図２４は実施の形態５におけるエレベーターの自動呼び登録システムが適用されるエレベーターの制御装置と携帯端末との動作の概要を説明するためのフローチャートである。
【０１０２】
ステップＳ５１では、携帯端末１５は、乗場側ビーコン装置１２からの電波を受信した際にアプリケーションを起動する。その後、携帯端末１５は、ステップＳ５２の動作を行う。ステップＳ５２では、携帯端末１５は、乗場呼びおよびかご呼びを要求する情報を送信する。
【０１０３】
その後、制御装置１３は、ステップＳ５３の動作を行う。ステップＳ５３では、制御装置１３は、かご６が当該乗場呼びに対応した階において戸開しているか否かを判定する。
【０１０４】
ステップＳ５３でかご６が当該乗場呼びに対応した階において戸開していない場合、制御装置１３は、ステップＳ５４の動作を行う。ステップＳ５４では、制御装置１３は、当該乗場呼びを登録する。その後、制御装置１３は、動作を終了する。
【０１０５】
ステップＳ５３でかご６が当該乗場呼びに対応した階において戸開している場合、制御装置１３は、動作を終了する。
【０１０６】
以上で説明した実施の形態５によれば、制御装置１３は、携帯端末１５が乗場側ビーコン装置１２から電波を受信して乗場呼びを要求した際に、当該乗場３においてかご６が戸開している場合は、乗場呼びを登録しない。このため、かご６の戸閉時間が無用に延長されることを抑制できる。
【０１０７】
実施の形態６．
図２５は実施の形態６におけるエレベーターの自動呼び登録システムが適用されるエレベーターの要部の構成図である。
【０１０８】
実施の形態６において、携帯端末１５は、乗場側ビーコン装置１２からの電波を受信した際にアプリケーションにおいて予め設定されたエレベーターと乗車階と携帯端末１５とを特定するための第１信号を自動で送信する。監視装置１９は、エレベーターの運行状態を監視し異常が発生した際に、図示しない監視センターに通報を行う。監視装置１９は、実施の形態１で説明された外部通信部１３ａ、呼び要求受信部１３ｄ、出入り検出部１３ｅ、かご呼び可否判定部１３ｆ、運行管理部１３ｇを備える。
【０１０９】
サーバ１８は、当該第１信号に基づいて当該携帯端末１５に対応付けられた目的階を特定する。サーバ１８は、当該乗車階と当該目的階との情報を含む第２信号を当該エレベーターに向けて送信する。
【０１１０】
当該エレベーターにおいて、監視装置１９は、前記サーバ１８から第２信号を受信した際に、当該第２信号に基づいて乗場呼びとかご呼びとの要求を把握する。監視装置１９は、実施の形態１から実施の形態３の制御装置１３と同様に乗場呼びおよびかご呼びを登録するか否かを判定する。
【０１１１】
例えば、監視装置１９は、当該第２信号に基づいて当該乗車階に対応した乗場呼びの登録要求を制御装置１３に送信する。例えば、制御装置１３は、かご６が当該乗車階に対応した乗場３に到着して戸開した後にセンサ１０が物体を検出した場合は、当該目的階に対応したかご呼びの登録要求を制御装置１３に送信する。例えば、制御装置１３は、かご６が当該乗車階に対応した乗場３に到着して戸開した後にセンサ１０が物体を検出しない場合は、当該目的階に対応したかご呼びの登録要求を制御装置１３に送信しない。
【０１１２】
以上で説明した実施の形態６によれば、サーバ１８は、当該第１信号に基づいて当該携帯端末１５に対応付けられた目的階を特定する。サーバ１８は、当該乗車階と当該目的階との情報を含む第２信号を当該エレベーターに向けて送信する。このため、エレベーターと乗車階と目的階と携帯端末１５とを特定するための情報をサーバ１８に登録しておけば、その後は、携帯端末１５から目的階の情報を送信しなくても、乗場呼びおよびかご呼びを自動で登録することができる。
【産業上の利用可能性】
【０１１３】
以上のように、この発明に係るエレベーターの自動呼び登録システムは、エレベーターシステムに利用できる。エレベーターシステムには、機械室を備えたエレベーターだけでなく、機械室を備えずに昇降路の内部に卷上機と制御装置とが設置された機械室レスエレベーターも含まれる。
【符号の説明】
【０１１４】
１  昇降路、  ２  機械室、  ３  乗場、  ４  巻上機、  ５  主ロープ、  ６  かご、  ７  釣合おもり、  ８  乗場ドア、  ９  かごドア、  １０  センサ、  １１  秤装置、  １２  乗場側ビーコン装置、  １３  制御装置、  １３ａ  外部通信部、  １３ｂ  センサ通信部、  １３ｃ  巻上機通信部、  １３ｄ  呼び要求受信部、  １３ｅ  出入り検出部、  １３ｆ  かご呼び可否判定部、  １３ｇ  運行管理部、  １３ｈ  制御部、  １３ｉ  現在階取得部、  １３ｊ  戸開閉判定部、  １４  基地局、  １５  携帯端末、  １５ａ  外部通信部、  １５ｂ  ビーコン通信部、  １５ｃ  呼びパターン記憶部、  １５ｄ  呼び要求作成部、  １５ｅ  呼び要求送信部、  １５ｆ  乗降判定部、  １５ｇ  加速度検出部、  １５ｈ  利用判定部、  １５ｉ  非利用時間記憶部、  １５ｊ  非利用時間判定部、  １５ｋ  操作部、  １５ｌ  利用履歴記憶部、  １５ｍ  利用時間記憶部、  １５ｎ  利用時間判定部、  １６  かご側ビーコン装置、  １７  ドアセンサ、  １８  サーバ、  １９  監視装置
【要約】
利用者が意図しない呼びの登録を抑制することができるエレベーターの自動呼び登録システムを提供する。エレベーターの自動呼び登録システムは、乗場に設けられた乗場側ビーコン装置と、かごの床面にかかる荷重を検出する秤装置と、携帯端末が前記乗場側ビーコン装置から電波を受信して呼び登録システムアプリケーションにおいて予め設定された乗場呼びおよびかご呼びの要求を自動で送信した際に、前記携帯端末により自動で送信された要求に対応した乗場呼びを登録し、前記かごが前記乗場呼びに対応した乗場に到着して戸開した後に前記秤装置にかかる荷重が増加した場合に、前記携帯端末により自動で送信された要求に対応したかご呼びを登録し、前記かごが前記乗場呼びに対応した乗場に到着して戸開した後に前記秤装置にかかる荷重が増加しない場合に、前記携帯端末により自動で送信された要求に対応したかご呼びを登録しない制御装置と、を備えた。【図１】
0006747626.tif 000002
【図２】
0006747626.tif 000003
【図３】
0006747626.tif 000004
【図４】
0006747626.tif 000005
【図５】
0006747626.tif 000006
【図６】
0006747626.tif 000007
【図７】
0006747626.tif 000008
【図８】
0006747626.tif 000009
【図９】
0006747626.tif 000010
【図１０】
0006747626.tif 000011
【図１１】
0006747626.tif 000012
【図１２】
0006747626.tif 000013
【図１３】
0006747626.tif 000014
【図１４】
0006747626.tif 000015
【図１５】
0006747626.tif 000016
【図１６】
0006747626.tif 000017
【図１７】
0006747626.tif 000018
【図１８】
0006747626.tif 000019
【図１９】
0006747626.tif 000020
【図２０】
0006747626.tif 000021
【図２１】
0006747626.tif 000022
【図２２】
0006747626.tif 000023
【図２３】
0006747626.tif 000024
【図２４】
0006747626.tif 000025
【図２５】
0006747626.tif 000026